(57)【要約】【課題】換気に伴う省エネルギー化を建物内のより広い範囲で実践でき、且つ、それを経済的に実施できるようにする。【解決手段】居室１、及び、その居室１に隣接する廊下３が設けられていると共に、居室１内の換気を図りながら、換気に伴う給気と排気との間の熱交換を図る空気熱交換器４が設けられている建物において、廊下３の空気を建物外部に排気自在な排気口８を設け、空気熱交換器４の排気流路における室内空気の吹出口６ｂを、廊下３に開口する状態に設けてある。【選択図】図１
2009156483.tif 000002
【特許請求の範囲】
【請求項１】
居室、及び、その居室に隣接する廊下が設けられていると共に、前記居室内の換気を図りながら、換気に伴う給気と排気との間の熱交換を図る空気熱交換器が設けられている建物であって、
前記廊下の空気を建物外部に排気自在な排気口を設け、前記空気熱交換器の排気流路における室内空気の吹出口を、前記廊下に開口する状態に設けてある建物。
【請求項２】
前記排気口は、前記室内空気の吹出口より高い位置に配置してある請求項１に記載の建物。
【請求項３】
建物本体は、複数階層で構成され、階段室は、前記廊下に連通する状態に設けられており、前記排気口は、前記階段室の上端側に配置してある請求項１に記載の建物。
【発明の詳細な説明】
【技術分野】
【０００１】
本発明は、居室、及び、その居室に隣接する廊下が設けられていると共に、前記居室内の換気を図りながら、換気に伴う給気と排気との間の熱交換を図る空気熱交換器が設けられている建物に関する。
【背景技術】
【０００２】
従来、この種の建物としては、図３に示すように、前記空気熱交換器として設置されている全熱交換器４によって、居室１内の換気を図りながらも、室内温度を維持できるように構成されているのが一般的である。
即ち、全熱交換器４内には、建物外部空気（以後、単に外気という）を取り入れる吸気流路５と、室内空気（以後、単に内気という）を排出する排気流路６と、両流路の流通空気相互の熱交換を行う熱交換部７とを備えており、前記吸気流路５の始端部は、室外に開口させた吸気部５ａ、終端部は、室内に開口させた給気部５ｂに連通接続され、一方、前記排気流路６の始端部は、室内に開口させた還気部６ａ、終端部は、室外に開口させた室内空気の吹出口（以後、単に排気部という）６ｂに連通接続されている。
このように、従来は、一つの居室１空間と、建物外部空間との間での換気を前提として、前記各吸気口や各吹出口の配置が行われていた。
しかし、前記全熱交換器４による吸排気間の熱交換においては、完全に熱回収することは非常に困難であるため、現実的には、前記排気流路６から建物外部に排気される空気は、外気との温度差をいくぶん残した状態であり、この温度差分の熱（温熱及び冷熱）が利用されていなかった。
そこで、この外気との温度差を残した状態で排気される空気の有する熱を、有効に利用して省エネルギー化を図れるようにした技術が生まれた（例えば、特許文献１参照）。
この技術は、図４に示すように、排気流路６の終端部を、建物外部に開口させるのではなく、長いダクトＤを設けることによって、居室１とは離れた位置に設けられた便所２まで排気流路６を延伸し、その便所２に向けて前記排気部６ｂを開口する状態に設けるものである。そして、便所２に設けられた換気扇８ａによって、便所２内の空気は建物外部に排気される。
従って、前記全熱交換器４によって熱交換された前記排気流路６の空気は、ダクトＤから便所２を経由して建物外部に排気される中で、前記便所２空間に前記外気との温度差を残した状態で排気される空気の有する熱を伝えることができ、特別な空調装置を便所に設置しなくても、便所２内の温度環境を居室１内の温度環境に近づけることが可能となる。
【０００３】
【特許文献１】特開平１１−３２５５３６号公報（図１）
【発明の開示】
【発明が解決しようとする課題】
【０００４】
上述した従来の建物によれば、居室と便所との位置関係は、必ずしも近接しているものではなく、むしろ、建物内での水回り空間と、居室空間とは、離間している場合が多いから、前記全熱交換器から、前記便所に設けられた排気部までのダクト長さが、長くなり易く、材料コストや施工コストが嵩むと共に、ダクト延長が長くなれば、前記排気流路の送風抵抗も増加し、ファン等の送風装置も大型化し、より設備コストが上昇し易い問題点がある。
また、居室空間から外気との温度差を残した状態で排気される空気の熱の利用は前記便所空間に限られ、省エネルギー効果が、建物のより広い範囲に及ばない問題点があった。
【０００５】
従って、本発明の目的は、上記問題点を解消し、換気に伴う省エネルギー化を建物内のより広い範囲で実践でき、且つ、それを経済的に実施することが可能な建物を提供するところにある。
【課題を解決するための手段】
【０００６】
本発明の第１の特徴構成は、居室、及び、その居室に隣接する廊下が設けられていると共に、前記居室内の換気を図りながら、換気に伴う給気と排気との間の熱交換を図る空気熱交換器が設けられている建物において、前記廊下の空気を建物外部に排気自在な排気口を設け、前記空気熱交換器の排気流路における室内空気の吹出口を、前記廊下に開口する状態に設けてあるところにある。
【０００７】
本発明の第１の特徴構成によれば、居室と極めて近い位置にある廊下に対して前記室内空気の吹出口を設けてあるから、前記空気熱交換器から前記室内空気の吹出口までのダクトを、従来のように長いものにしなくても排気流路を確保することができ、材料コストや施工コストの低減を図れると共に、送風抵抗も減少するから送風装置の省力化も可能となり、設備コストの低減を含めた建物全体としたコストダウンを図ることが可能となる。
また、廊下そのものは、本来的には、他の居室や、便所や台所等、あらゆる室内部分と連通状態に形成されることが多いことを考慮すると、居室空間から外気との温度差を残した状態で排気される空気の有する熱の利用を、従来のように便所空間に限るものではなく、前記廊下に通じる建物内の広い範囲において有効利用することができる。
従って、例えば、居室のみが冷房運転されているような場合でも、その冷熱を、廊下を通じて建物内の広い範囲で受けることが可能となり、居室以外でも比較的涼しく過ごすことが可能となる。
即ち、イニシャルコストやランニングコストを殆ど掛けなくても、建物内のより広い範囲における居住性の向上を図ることができ、省エネルギーに貢献することが可能となる。
【０００８】
本発明の第２の特徴構成は、前記排気口は、前記室内空気の吹出口より高い位置に配置してあるところにある。
【０００９】
本発明の第２の特徴構成によれば、本発明の第１の特徴構成による上述の作用効果を叶えることができるのに加えて、前記室内空気の吹出口から廊下に吹き出された空気の建物外部への排出を、空気の温度差によって生じる上昇気流による効果を利用して促進することが可能となる。
従って、廊下の空気を建物外部へ排出する特別な排気装置を設けなくても、自然排気を叶えることが可能となる他、仮に、ファン等の排気装置を設ける場合でも、その動力の低減化を図ることが可能となり、より省エネルギー化を叶えることが可能となる。
【００１０】
本発明の第３の特徴構成は、建物本体は、複数階層で構成され、階段室は、前記廊下に連通する状態に設けられており、前記排気口は、前記階段室の上端側に配置してあるところにある。
【００１１】
本発明の第３の特徴構成によれば、本発明の第１又は２の特徴構成による上述の作用効果を叶えることができるのに加えて、前記室内空気の吹出口から廊下に吹き出された空気の建物外部への排出を、空気の温度差によって生じる上昇気流の作用を利用して、より促進することが可能となる。
即ち、前記室内空気の吹出口から廊下に吹き出された空気は、階段室を経由して排気口から建物外部に排出されるわけであるが、前記階段室の高低差をフルに利用することで煙突効果をも期待することができ、特別な排気装置を設けなくても、自然排気を叶えることが可能となる。仮に、ファン等の排気装置を設ける場合でも、その動力の低減化を図ることが可能となり、より省エネルギー化を推進することが可能となる。
【発明を実施するための最良の形態】
【００１２】
以下に本発明の実施の形態を図面に基づいて説明する。尚、図面において従来例と同一の符号で表示した部分は、同一又は相当の部分を示している。
【００１３】
図１は、本発明の建物の一実施形態を示すもので、この建物Ｂは、複数の階層を備えた構造に形成してあり、各階層を縦に貫く状態に階段室Ｓが設けられている。
尚、階段室Ｓの頂部は塔屋Ｓｔとして構成してある。
【００１４】
前記各階層には、複数の居室１や、便所２、及び、前記居室１や便所２に隣接する状態に廊下３が設けられている。
【００１５】
前記居室１は、図には示さない空調装置によって、室内温度を適温に保つことができるように構成されている。
また、前記居室１には、換気装置として、換気に伴う給気と排気との間の熱交換を図る全熱交換器（空気熱交換器の一例）４が設けられている。
【００１６】
前記全熱交換器４内には、図２に示すように、建物外部空気（以後、単に外気という）を取り入れる吸気流路５と、室内空気（以後、単に内気という）を排出する排気流路６と、両流路５，６の流通空気相互の熱交換を行う熱交換部７とを備えており、前記吸気流路５の始端部は、外壁に開口させた吸気部５ａ、終端部は、居室１の天井部に開口させた給気部５ｂに連通接続され、一方、前記排気流路６の始端部は、居室１の天井部に開口させた還気部６ａ、終端部は、廊下３の天井部に開口させた排気部（室内空気の吹出口に相当）６ｂに連通接続されている。
従って、前記吸気流路５内の空気と、前記排気流路６内の空気との間での熱交換を図りながら、居室１内の室内換気を実施することができる。
【００１７】
前記便所２には、図１に示すように、同一階の廊下３の前記排気部６ｂより高い位置に、換気扇（排気口８の一例）８ａが設けてあり、便所２の空気を建物外部に排気できるように構成されている。但し、便所２は、例えば、ガラリ等の隙間を通して、廊下３からの空気を吸い込んで、前記換気扇８ａから排気することもできる。
【００１８】
前記廊下３は、上述のとおり、ガラリ等の隙間を通して、便所２と連通している他、前記階段室Ｓとも連通している。
【００１９】
前記階段室Ｓは、最下階部から最上階の前記塔屋Ｓｔまでが、繋がった空間として構成してあり、上下階にわたって階段が設けられている。
そして、前記塔屋Ｓｔには、階段室Ｓ内の空気を建物外部に排気自在な排気ガラリ（排気口の一例）８ｂが設けられている。
従って、各階層の廊下３の空気は、特に駆動源を用いなくても、階段室Ｓ内の空気の温度差によって生じる上昇気流にのって塔屋Ｓｔまで上がることができ、更には、前記排気ガラリ８ｂを通して建物外部に排気される。
【００２０】
本実施形態で説明した建物Ｂによれば、居室１の換気によって前記排気部６ｂから廊下３に排出された空気は、前記全熱交換器４によって熱交換しきれなかった熱（温熱及び冷熱）を保有しており、その空気が、廊下３から便所２、及び、廊下３から階段室Ｓをそれぞれ経由して建物外部に排出される移動経路において環境雰囲気と熱交換をすることによって、それらの移動経路の温度環境を前記居室１の温度環境に近づけることができる。
従って、例えば、前記居室１で冷房運転を実施している時期においては、その冷熱を、廊下３や便所２や階段室Ｓ等を通じて建物内の広い範囲で受けることが可能となり、居室以外でも比較的涼しく過ごすことが可能となる。
そして、そのような効果は、特別な空調装置や送風装置を設置しなくても叶えることができるので、イニシャルコストやランニングコストを殆ど掛けなくても、建物内のより広い範囲における居住性の向上を吐かることができ、省エネルギーに貢献することが可能となる。
【００２１】
〔別実施形態〕
以下に他の実施の形態を説明する。
【００２２】
〈１〉  当該建物Ｂは、先の実施形態で説明した複数の階層を備えた構造に限るものではなく、例えば、単一階層のみの構成であってもよく、それらを含めて建物と総称する。
また、平面配置に関しても自由であり、要するに、居室１、及び、その居室１に隣接する廊下３が設けられていると共に、前記居室１内の換気を図りながら、換気に伴う給気と排気との間の熱交換を図る空気熱交換器４が設けられており、前記廊下３の空気を建物外部に排気自在な排気口８を設け、前記空気熱交換器４における前記室内空気の吹出口６ｂを、前記廊下３に開口する状態に設けてあるものであればよい。
〈２〉  前記空気熱交換器４は、先の実施形態で説明した全熱交換器（顕熱＋潜熱を利用するもの）が好ましいものであるが、必ずしもその構成に限るものではなく、例えば、顕熱交換器であってもよく、要するに、換気に伴う内気・外気どうしの熱交換を図れるものであればよく、それらを含めて空気熱交換器４と総称する。また、ファン等の送風機構は、内蔵型や別に設けてあるものの何れであってもよい。
〈３〉  前記排気口８は、先の実施形態で説明した換気扇８ａや排気ガラリ８ｂに限るものではなく、単なる開口であってもよく、更には、送風機構を備えたものや、備えてないものの何れであってもよい。
【００２３】
尚、上述のように、図面との対照を便利にするために符号を記したが、該記入により本発明は添付図面の構成に限定されるものではない。また、本発明の要旨を逸脱しない範囲において、種々なる態様で実施し得ることは勿論である。
【図面の簡単な説明】
【００２４】
【図１】建物の実施形態を示す正面視断面図
【図２】空気熱交換器の概念図
【図３】従来の建物を示す正面視概念図
【図４】従来の建物を示す正面視概念図
【符号の説明】
【００２５】
１      居室
３      廊下
４      全熱交換器（空気熱交換器の一例）
６ｂ    排気部（室内空気の吹出口に相当）
８      排気口
Ｓ      階段室
【図１】
2009156483.tif 000003
【図２】
2009156483.tif 000004
【図３】
2009156483.tif 000005
【図４】
2009156483.tif 000006